(57)【要約】      （修正有）【課題】ガスコンセント装置において、ソケット取外しのための構造を簡略化するとともにソケット取り外し操作を簡単に行なえるようにする。【解決手段】ガスコンセント装置１は、壁Ｗに固定された取付板２と、取付板２に固定された固定ケース４と、取付板２に支持されるとともに、ソケット６が着脱可能に接続されるプラグ部を有するガス栓３と、固定ケース４に、プラグ部の軸線方向に摺動可能に取り付けられ、ガス栓３の少なくとも一部を覆う可動ケース５と、を備える。可動ケース５は押圧部５３を有し、可動ケース５の摺動過程での押圧部５３の移動軌跡上に、プラグ部に接続されたソケット先端部の進退スリーブ６１が配置されており、可動ケース５が、ソケット６のプラグ部への接続方向とは逆方向に摺動する際に、押圧部５３がソケット６の進退スリーブ６１を押圧することにより、ソケット６とプラグ部の係合を解除する。【選択図】図３
2018044671.tif 000002
【特許請求の範囲】
【請求項１】
取付対象に固定された固定構造体と、
前記固定構造体に支持されるとともに、ソケットが着脱可能に接続されるプラグ部を有するガス栓と、
前記固定構造体に、前記プラグ部の軸線方向に摺動可能に取り付けられ、前記ガス栓の少なくとも一部を覆う可動ケースと、
を備え、
前記可動ケースは押圧部を有し、前記可動ケースの摺動過程での前記押圧部の移動軌跡上に、前記プラグ部に接続されたソケット先端部の進退スリーブが配置されており、前記可動ケースが、前記ソケットの前記プラグ部への接続方向とは逆方向に摺動する際に、前記押圧部が前記ソケットの前記進退スリーブを押圧することにより、前記ソケットと前記プラグ部の係合を解除することを特徴とするガスコンセント装置。
【請求項２】
前記可動ケースの押圧部は、前記ソケットの進退スリーブの一部に対応して円弧形状または環状をなしていることを特徴とする請求項１に記載のガスコンセント装置。
【請求項３】
前記プラグ部の軸線は上下方向に延び、前記プラグ部の先端は下を向いており、前記可動ケースは前記固定構造体に上下方向にスライド可能に支持されるとともに、前記固定構造体に設けられた係止部により重力に抗して前記固定構造体に基準位置で支持されており、前記ソケットを前記プラグ部に接続する際に、前記可動ケースは前記ソケットにより前記基準位置から押し上げられることを特徴とする請求項１または２に記載のガスコンセント装置。
【請求項４】
前記可動ケースは横断面コ字形またはＵ字形をなす周壁を備え、この周壁により前記ガス栓の少なくとも一部の正面と両側面を覆っており、
前記可動ケースの周壁の両側部が、一対のガイド手段を介して前記固定構造体に摺動可能に支持されていることを特徴とする請求項１〜３のいずれかに記載のガスコンセント装置。
【請求項５】
前記ガイド手段は、前記固定構造体と前記可動ケースのいずれか一方に形成され前記プラグ部の軸線方向に直線的に延びるガイド溝と、前記固定構造体と前記可動ケースの他方から突出してガイド溝に嵌め込まれたスライド部とを有することを特徴とする請求項４に記載のガスコンセント装置。
【請求項６】
前記固定構造体は、前記取付対象に固定された取付板と、この取付板に固定された固定ケースとを有し、前記取付板に前記ガス栓が固定されており、
前記固定ケースは横断面コ字形またはＵ字形をなす周壁を有し、
前記可動ケースの周壁は、前記固定ケースの周壁より前記プラグ部側に配置され、前記固定ケースの周壁と協働して前記ガス栓の正面と両側面とを覆っており、
前記可動ケースは前記一対のガイド手段を介して前記固定ケースに摺動可能に支持されており、その摺動ストローク範囲において、前記可動ケースの周壁と前記固定ケースの周壁が互いに重ね合わせ状態で接していることを特徴とする請求項４または５に記載のガスコンセント装置。
【請求項７】
前記固定構造体は前記取付対象に固定された取付板を有し、
前記可動ケースが前記一対のガイド手段を介して前記取付板に摺動可能に支持されており、
前記可動ケースだけで、前記ガス栓を覆っていることを特徴とする請求項４または５に記載のガスコンセント装置。
【請求項８】
前記固定構造体と前記可動ケースとの間に付勢手段が設けられ、
この付勢手段により前記可動ケースが前記ソケットの前記プラグ部への接続方向とは逆方向に付勢されることを特徴とする請求項１〜７のいずれか１項に記載のガスコンセント装置。
【請求項９】
前記付勢手段はねじりコイルばねであり、このねじりコイルばねが前記可動ケースを前記逆方向へ付勢することができるよう、前記ねじりコイルばねの一端部が前記固定構造体に形成された第１ばね受けに係止され、前記ねじりコイルばねの他端部が前記可動ケースに形成された第２ばね受けに係止されていることを特徴とする請求項９に記載のガスコンセント装置。
【請求項１０】
取付対象に固定された固定構造体と、
前記固定構造体に支持されるとともに、ソケットが着脱可能に接続されるプラグ部を有するガス栓と、
前記固定構造体に、前記プラグ部の軸線方向またはこの軸線方向と交差する方向に摺動可能に取り付けられ、前記ガス栓の少なくとも一部を覆う可動ケースと、
前記固定構造体または前記ガス栓に揺動可能に支持された揺動リンクと、
を備え、
前記揺動リンクの一端部が被押圧部として提供され、他端部が作用部として提供され、
前記可動ケースは押圧部を有し、前記可動ケースがスライドする際に、前記押圧部が前記揺動リンクの被押圧部を押圧して前記揺動リンクを揺動させ、前記揺動リンクの作用部が、前記ソケットの先端部にある進退スリーブを押圧することにより、前記ソケットと前記プラグ部の係合を解除することを特徴とするガスコンセント装置。
【発明の詳細な説明】
【技術分野】
【０００１】
本発明は、ガス栓のプラグ部に接続されたソケットをプラグ部から取り外す構造を備えたガスコンセント装置に関する。
【背景技術】
【０００２】
建物の完成後に壁等の取付対象に増設されるガスコンセント装置は、壁に固定された取付板と、この取付板に固定されたガス栓と、このガス栓を覆うようにして取付板に固定されたケースを有している。
【０００３】
ガス栓には、迅速継手を介してガス燃焼器具が接続される。この迅速継手は、ガス栓のプラグ部と、ガス燃焼器具から延びる二次側ガス配管の先端に取り付けられたソケットにより構成されている。ソケットをプラグ部に接続した時にガス栓が開き、ソケットをプラグ部から外した時にガス栓が閉じられるようになっている。ソケットはその先端部に進退スリーブを有している。この進退スリーブは、ソケットの軸線方向に移動可能であり、ソケットがプラグ部に接続された時に前方に突出することにより、ソケットとプラグ部を係合させるようになっている。
【０００４】
ガス栓のプラグ部からソケットを取り外すためには、進退スリーブを後退させて、ソケットとプラグの係合状態を解除する必要がある。
下記特許文献１は、揺動リンクと操作ボタンからなるソケット取外し構造を備えている。この揺動リンクはガス栓に揺動可能に設けられている。
ソケットをプラグ部に接続した状態で、操作ボタンを押し込むと、操作ボタンが揺動リンクの一端部を押して揺動リンクを揺動させる。このとき揺動リンクの他端部がソケットの進退スリーブを押圧して後退させる。これにより、ソケットとプラグ部の係合が解除され、ソケットをプラグ部から取り外すことができる。
【先行技術文献】
【特許文献】
【０００５】
【特許文献１】特開２００７−２４２８４号公報
【発明の概要】
【発明が解決しようとする課題】
【０００６】
特許文献１のソケット取外し構造では、ガス栓を覆うケースとは別個に、ソケットの取外しのための操作部材を設けており、構造が複雑で、製造費が嵩む。また、ソケット取り外しは、小さな操作ボタンを押し込む操作を必要とし、操作が面倒であった。特にプラグ部の軸線が上下方向に延びその先端が下方を向いている場合には、操作ボタンもケースの下側に配置されているので、操作がより一層面倒であった。
【課題を解決するための手段】
【０００７】
上記課題を解決するために、本発明のガスコンセント装置は、取付対象に固定された固定構造体と、前記固定構造体に支持されるとともに、ソケットが着脱可能に接続されるプラグ部を有するガス栓と、前記固定構造体に、前記プラグ部の軸線方向に摺動可能に取り付けられ、前記ガス栓の少なくとも一部を覆う可動ケースと、を備え、
前記可動ケースは押圧部を有し、前記可動ケースの摺動過程での前記押圧部の移動軌跡上に、前記プラグ部に接続されたソケット先端部の進退スリーブが配置されており、前記可動ケースが、前記ソケットの前記プラグ部への接続方向とは逆方向に摺動する際に、前記押圧部が前記ソケットの前記進退スリーブを押圧することにより、前記ソケットと前記プラグ部の係合を解除することを特徴とする。
【０００８】
上記構成によれば、ガス栓の少なくとも一部を覆う可動ケースが、ソケット取り外しの役割をも担うとともに、他の構成部材を介さずにソケットの進退スリーブを押してソケットを取り外すので、ソケット取り外しのための構造が簡単になり、製造費が低減される。またソケット取り外し操作は、外部に露出した可動ケースを摺動させるだけでよいので簡単である。さらに、可動ケースをソケットの取外し方向に摺動させるので、取り外し操作がわかりやすい。
【０００９】
好ましくは、前記可動ケースの押圧部は、前記ソケットの進退スリーブの一部に対応して円弧形状または環状をなしている。
上記構成によれば、押圧部が進退スリーブを安定して押圧することができる。
【００１０】
好ましくは、前記プラグ部の軸線は上下方向に延び、前記プラグ部の先端は下を向いており、前記可動ケースは前記固定構造体に上下方向にスライド可能に支持されるとともに、前記固定構造体に設けられた係止部により重力に抗して前記固定構造体に基準位置で支持されており、前記ソケットを前記プラグ部に接続する際に、前記可動ケースは前記ソケットにより前記基準位置から押し上げられる。
上記構成によれば、可動ケースを押し下げることによりソケットの取り外しを行なうので、操作性がより一層高められる。また、可動ケースの位置によりソケットの接続の有無を確認することができる。
【００１１】
好ましくは、前記可動ケースは横断面コ字形またはＵ字形をなす周壁を備え、この周壁により前記ガス栓の少なくとも一部の正面と両側面を覆っており、前記可動ケースの周壁の両側部が、一対のガイド手段を介して前記固定構造体に摺動可能に支持されている。
上記構成によれば、可動ケースを安定して支持することができる。
【００１２】
好ましくは、前記ガイド手段は、前記固定構造体と前記可動ケースのいずれか一方に形成され前記プラグ部の軸線方向に直線的に延びるガイド溝と、前記固定構造体と前記可動ケースの他方から突出してガイド溝に嵌め込まれたスライド部とを有する。
【００１３】
好ましくは、前記固定構造体は、前記取付対象に固定された取付板と、この取付板に固定された固定ケースとを有し、前記取付板に前記ガス栓が固定されており、前記固定ケースは横断面コ字形またはＵ字形をなす周壁を有し、前記可動ケースの周壁は、前記固定ケースの周壁より前記プラグ部側に配置され、前記固定ケースの周壁と協働して前記ガス栓の正面と両側面とを覆っており、前記可動ケースは前記一対のガイド手段を介して前記固定ケースに摺動可能に支持されており、その摺動ストローク範囲において、前記可動ケースの周壁と前記固定ケースの周壁が互いに重ね合わせ状態で接している。
上記構成によれば、可動ケースの周壁と固定ケースの周壁は、ソケットがプラグ部に接続された状態のみならずソケットが取り外された状態でも重なっており、ガス栓を良好に覆うことができる。
【００１４】
好ましくは、前記固定構造体は前記取付対象に固定された取付板を有し、前記可動ケースが前記一対のガイド手段を介して前記取付板に摺動可能に支持されており、前記可動ケースだけで、前記ガス栓を覆っている。
上記構成によれば、固定ケースを省くので、構造がより一層簡単になる。
【００１５】
好ましくは、前記固定構造体と前記可動ケースとの間に付勢手段が設けられ、この付勢手段により前記可動ケースが前記ソケットの前記プラグ部への接続方向とは逆方向に付勢される。
上記構成によれば、ソケットが取り外された場合には、付勢手段の付勢力により可動ケースを常にソケットの接続方向とは逆方向（ソケットの取り外し方向）側の所定位置に配置させておくことができる。
【００１６】
好ましくは、前記付勢手段はねじりコイルばねであり、このねじりコイルばねが前記可動ケースを前記逆方向へ付勢することができるよう、前記ねじりコイルばねの一端部が前記固定構造体に形成された第１ばね受けに係止され、前記ねじりコイルばねの他端部が前記可動ケースに形成された第２ばね受けに係止されている。
【００１７】
本発明の他の態様をなすガスコンセント装置は、取付対象に固定された固定構造体と、前記固定構造体に支持されるとともに、ソケットが着脱可能に接続されるプラグ部を有するガス栓と、前記固定構造体に、前記プラグ部の軸線方向またはこの軸線方向と交差する方向に摺動可能に取り付けられ、前記ガス栓の少なくとも一部を覆う可動ケースと、前記固定構造体または前記ガス栓に揺動可能に支持された揺動リンクと、を備え、前記揺動リンクの一端部が被押圧部として提供され、他端部が作用部として提供され、前記可動ケースは押圧部を有し、前記可動ケースがスライドする際に、前記押圧部が前記揺動リンクの被押圧部を押圧して前記揺動リンクを揺動させ、前記揺動リンクの作用部が、前記ソケットの先端部にある進退スリーブを押圧することにより、前記ソケットと前記プラグ部の係合を解除することを特徴とする。
上記構成によれば、ガス栓の少なくとも一部を覆う可動ケースが、ソケット取り外しの役割をも担うので、ソケット取り外しのための構造が簡単になり、製造費が低減される。またソケット取り外し操作は、外部に露出した可動ケースを摺動させるだけでよいので簡単である。
【発明の効果】
【００１８】
本発明によれば、可動ケースを、ガス栓を覆うこととソケットを取り外すことに兼用するので、構造が簡単で、製造費が低減される。また、ソケット外しのための操作も簡単である。
【図面の簡単な説明】
【００１９】
【図１】本発明の第１実施形態に係るガスコンセント装置の、ソケットがガス栓に接続される前の状態を示し、（Ａ）は正面図、（Ｂ）は固定ケース及び可動ケースを断面にして示す右側面図である。
【図２】同実施形態のガスコンセント装置の、ソケットがガス栓に接続された状態を示し、（Ａ）は正面図、（Ｂ）は固定ケース及び可動ケースを断面にして示す右側面図である。
【図３】同実施形態のガスコンセント装置の、進退スリーブが後退しソケットとプラグ部の係合が解除された状態を示し、（Ａ）は正面図、（Ｂ）は固定ケース及び可動ケースを断面にして示す右側面図である。
【図４】同実施形態における固定ケースと可動ケースを示す斜視図であり、（Ａ）は可動ケースが下方位置にある状態を示し、（Ｂ）は可動ケースが上方位置にある状態を示す。
【図５】上記固定ケースと可動ケースを分解して示す斜視図である。
【図６】上記固定ケースと可動ケースを示す右側面図であり、（Ａ）は可動ケースが下方位置にある状態を示し、（Ｂ）は可動ケースが上方位置にある状態を示す。
【図７】（Ａ）は上記固定ケースの背面図、（Ｂ）は上記ガス栓が取り付けられた取付板の正面図である。
【図８】（Ａ）は上記固定ケース及び可動ケースの横断面図であり、（Ｂ）は図８（Ａ）におけるＢ部の拡大断面図である。
【図９】本発明の第２実施形態に係るガスコンセント装置の正面図であり、（Ａ）はソケットがガス栓に接続された状態を示し、（Ｂ）はソケットがガス栓から取り外された直後の状態を示す。
【図１０】本発明の第３実施形態に係るガスコンセント装置を、可動ケースを断面にして示す左側面図であり、（Ａ）はソケットがガス栓に接続された状態を示し、（Ｂ）は進退スリーブが後退しソケットとプラグ部の係合が解除された状態を示す。
【図１１】本発明の第４実施形態に係るガスコンセント装置を、可動ケースを断面にして示す正面図であり、（Ａ）はソケットがガス栓に接続された状態を示し、（Ｂ）は進退スリーブが後退しソケットとプラグ部の係合が解除された状態を示す。
【図１２】本発明の第４実施形態に係るガスコンセント装置の固定ケースと可動ケースを示す縦断面図であり、（Ａ）は可動ケースが下方位置にある状態を示し、（Ｂ）は可動ケースが上方位置にある状態を示す。
【図１３】（Ａ）は、図１２（Ａ）のXIIIA方向から見た固定ケースの底面図である。（Ｂ）は、図１２（Ａ）のXIIIB方向から見た可動ケースの平面図である。
【発明を実施するための形態】
【００２０】
［第１実施形態］
以下、本発明の第１実施形態を、図１〜図８を参照して説明する。この実施形態は、本発明を、建物の壁Ｗ（取付対象）に増設されるガスコンセント装置に適用したものである。
図１に示すように、ガスコンセント装置１は、取付板２、ガス栓３、固定ケース４、及び可動ケース５を備えている。
【００２１】
図７（Ｂ）に示すように、取付板２は正面視矩形の金属製の板材からなり壁Ｗに固定されている。取付板２の上縁、左右両側縁、下縁には、壁Ｗと直交する切起こし片２１，２２，２３を有している。
【００２２】
図１（Ｂ）、図７（Ｂ）に示すように、ガス栓３は、直線状をなして連なる胴部３１とプラグ部３２とを有している。胴部３１を包囲する固定金具２５を取付板２にねじ止めすることにより、ガス栓３が取付板２に固定されている。
【００２３】
本実施形態では、胴部３１およびプラグ部３２の軸線は上下方向に垂直に延び、プラグ部３２の先端は下を向いている。胴部３１の上端接続口には一次側ガス配管（図示しない）が接続され、プラグ部３２には、ガス機器から延びる二次側ガス配管（図示せず）の先端に取り付けられたソケット６が着脱可能に接続されるようになっている。
【００２４】
ソケット６とガス栓３のプラグ部３２は、日本工業規格（ＪＩＳ  Ｓ  ２１３５）で定めるガス機器用迅速継手を構成している。簡単に説明すると、ソケット６は先端部から突出するとともに所定範囲の軸方向移動可能に設けられた進退スリーブ６１を有している。ソケット６をプラグ部３２に所定の接続位置まで外挿すると、進退スリーブ６１が初期位置からさらに突出し、これにより、ソケット６がプラグ部３２に係合（ロック）される。上記ソケット６の接続状態において、進退スリーブ６１を初期位置まで押し戻すと、プラグ部３２とソケット６との係合が解除され、ソケット６がプラグ部３２から外れる。
【００２５】
取付板２にはさらに固定ケース４が固定されている。本実施形態では、取付板２と固定ケース４により、固定構造体が構成されている。
図５、図７（Ａ）に示すように、固定ケース４は、取付板２に対応して背面視矩形状をなしており、その上部には横断面略コ字形（またはＵ字形）をなす周壁４１が形成されている。周壁４１は、ガス栓３の胴部３１の正面および両側面を覆っている。周壁４１の上端は頂壁４２により塞がれている。頂壁４２にはガス栓３の胴部３１が貫通する切欠き４２ａが形成されている。周壁４１の下部は開放されている。
固定ケース４はさらに、周壁４１の両側部から取付板２に沿って下方に延びる一対の垂下部４３と、水平をなしてこれら垂下部４３の下端を連ねる架橋部４４とを有している。
【００２６】
固定ケース４の取付板２への固定は、その周壁４１の両側部の縁部、頂壁４２の縁部、垂下部４３、架橋部４４を取付板２の切起こし片２１，２２，２３に嵌め、図７（Ａ）に示す頂壁４２に形成された凸部４２ｂを切起こし片２１に形成された穴２１ａに嵌め、架橋部４４に形成された穴４４ａを貫通するネジを、切起こし片２３に形成されたネジ穴２３ａにねじ込むことによりなされる。
【００２７】
図１、図５に示すように、上記固定ケース４の周壁４１は、主部４１ａとこの主部４１ａの下端に連なる副部４１ｂとを有している。副部４１ｂの横断面形状は、主部４１ａより小さなコ字形（又はＵ字形）をなしている。主部４１ａと副部４１ｂの境には、後述する可動ケース５の周壁５１の厚さに相当する段差４１ｃが形成されている。
【００２８】
図５に示すように、固定ケース４にはさらに、左右一対の垂下部４３に隣接し垂下部４３に沿って延びる一対のガイド部４５が形成されている。これら一対のガイド部４５は、垂下部４３から内方に後退しており、周壁４１の副部４１ｂと面一をなしている。なお、垂下部４３の外面は周壁４１の主部４１ａと面一をなしている。
【００２９】
図１（Ｂ）、図５に示すように、可動ケース５は、横断面コ字形（またはＵ字形）をなす周壁５１と、この周壁５１の下端縁に連なりこの周壁５１の内側に配置された横断面半円筒形状の内壁５２と、この内壁５２の上端から径方向内方向に突出する押圧部５３とを有している。内壁５２の内径はソケット６の外径より大きい。押圧部５３はソケット６の進退スリーブ６１に対応して半円弧形状（円弧形状）をなしている。
【００３０】
可動ケース５は固定ケース４よりプラグ部３２側に配置されている。可動ケース５の周壁５１は、ガス栓３のプラグ部３２の正面および両側面を覆っている。
可動ケース５の周壁５１の外面は、固定ケース４の周壁４１の主部４１ａおよび垂下部４３と面一をなしている。可動ケース５の周壁５１の上端部内面は固定ケース４の副部４１ｂの外面に接し、周壁５１の両側部の内面はガイド部４５の外面に接している。
【００３１】
図６に示すように、可動ケース５の周壁５１の両側部は一対のガイド手段Ｇにより、固定ケース４に上下方向（プラグ部３２の軸線方向）に摺動可能に支持されている。一対のガイド手段Ｇは、一対のガイド部４５に形成されたガイド溝４８と、可動ケース５の周壁５１の両側部の端縁から内方向に突出する一対のスライド部５８により構成されている。
【００３２】
図５に示すように、ガイド溝４８およびスライド部５８は、上下方向に延びている。図８に示すように、一対のスライド部５８は一対のガイド溝４８に、固定ケース４と可動ケースの弾性を利用して嵌め込むことができる。スライド部５８は、先端部が丸みを有しているので、ガイド溝４８に嵌め込み易くなっている。
【００３３】
図６に示すように、スライド部５８は、ガイド溝４８より短いためガイド溝４８を移動することができ、これにより可動ケース５が固定ケース４に対して摺動することができる。この可動ケース５の摺動ストロークの範囲において、可動ケース５の周壁５１は固定ケース４の周壁４１の副部４１ｂから外れず、これら周壁４１，５１は連続してガス栓３を覆っている。
【００３４】
次に、ソケット６とガス栓３のプラグ部３２との接続および取り外しについて説明する。
図１、図４、図６（Ａ）に示すように、ソケット６がプラグ部３２に接続されていない状態では、可動ケース５は自重により下方の基準位置にあり、この基準位置はスライド部５８がガイド溝４８の下端４８ａ（係止部）に当たることにより維持されている。この基準位置において、可動ケース５の周壁５１の上端は、固定ケース４の周壁４１の段差４１ｃから離れている。
【００３５】
ソケット６をプラグ部３２に接続するには、ソケット６を可動ケース５の下端から上方に移動させる。すると、初期位置にあるソケット６の進退スリーブ６１が可動ケース５の押圧部５３に当接し、可動ケース５を押し上げる。ソケット６を可動ケース５と一緒にさらに上方に移動させると、ソケット６は接続位置までプラグ部３２に外挿される。すると、進退スリーブ６１が上方に突出し、ソケット６とプラグ部３２が係合状態になる。
【００３６】
上述のように、ソケット６がプラグ部３２に接続され、進退スリーブ６１が上方に突出した状態において、可動ケース５は、その周壁５１の上端が固定ケース４の周壁４１の段差４１ｃに接するか僅かな隙間を介して対向している。
【００３７】
ソケット６をガス栓３のプラグ部３２から取り外す場合には、可動ケース５を掴んで押し下げる。このとき、可動ケース５の押圧部５３により、ソケット６の進退スリーブ６１は押圧され、初期位置へと後退する。その結果、ソケット６とプラグ部３２との係合が解除され、ソケット６はプラグ部３２から外される。
上記のように、外部に露出している可動ケース５を掴んで押し下げるだけで、簡単にソケット６を外すことができる。しかも、この可動ケース５の操作方向がソケット６が取り外される方向と同じであるので、取り外し操作がわかりやすい。
【００３８】
次に、本発明の他の実施形態について説明する。なお、以下の実施形態については、上記実施形態と異なる構成だけを説明することとし、同様な構成部分には同一符号を付してその説明を省略する。
【００３９】
［第２実施形態］
図９は、本発明の第２実施形態に係るガスコンセント装置１Ａを示す。このガスコンセント装置１Ａは、第１実施形態の固定ケース４を備えておらず、可動ケース５Ａだけでガス栓３の大部分を覆っている。本実施形態では、固定構造体は取付板２Ａだけで構成されている。
【００４０】
可動ケース５Ａは、横断面コ字形（またはＵ字形）をなす周壁５１と、周壁５１の上端を塞ぐ頂壁５５を有している。頂壁５５にはガス栓３の胴部３１が挿通される切欠き５５ａが形成されている。
【００４１】
可動ケース５Ａは、周壁５１の下端から下方に延びる垂下部５６と、この垂下部５６の下端から内方向（ガス栓３方向）に突出する押圧部５３とを有している。この押圧部５３は、ソケット６の進退スリーブ６１に対応して円弧形状をなしている。
【００４２】
可動ケース５Ａの周壁５１の両側部は、ガイド手段Ｇにより取付板２Ａに上下方向スライド可能に支持されている。このガイド手段Ｇは第１実施形態と同様に、取付板２Ａに形成されたガイド溝と、周壁５１に形成されたスライド部により構成されている。
【００４３】
ソケット６が取り付けられていないとき、図９（Ｂ）に示すように可動ケース５Ａはその自重により下方の基準位置にあり、ガス栓３（胴部３１の上端部を除く）を覆っている。可動ケース５Ａは、その頂壁５５が取付板２Ａの上縁の切起こし片２１（係止部）に当たることにより、上記基準位置に維持されている。
上記基準位置において、可動ケース５Ａの押圧部５３は、プラグ部３２の軸線方向においてその先端より下方に位置している。
【００４４】
ソケット６とガス栓３のプラグ部３２との着脱は、第１実施形態と同様であるので、簡単に説明する。
ソケット６をプラグ部３２に接続する場合、図９（Ａ）に示すように、ソケット６を上方に移動させ、可動ケース５Ａを押し上げながら、プラグ部３２に外挿する。
【００４５】
ソケット６をガス栓３のプラグ部３２から取り外す場合、可動ケース５Ａを掴んで押し下げる。このとき、可動ケース５Ａの押圧部５３が突出状態にあるソケット６の進退スリーブ６１を押圧して後退させ、プラグ部３２とソケット６との係合を解除する。
【００４６】
［第３実施形態］
図１０は、本発明の第３実施形態に係るガスコンセント装置１Ｂを示す。このガスコンセント装置１Ｂは、第１実施形態と同様に、取付板（図示しない）と固定ケース４により固定構造体が構成されている。
【００４７】
ガスコンセント装置１Ｂは、揺動リンク７を備えている。この揺動リンク７はＬ字状をなし、揺動支点である揺動軸７１を介して固定ケース４に揺動可能に取り付けられている。なお、この揺動軸７１は、取付板やガス栓３に取り付けてもよい。
揺動リンク７の一端部は被押圧部７３として提供され、他端部は作用部７４として提供される。
【００４８】
図１０（Ａ）に示すように、可動ケース５の押圧部５３は、周壁５１において取付板と対向する部位の内面に形成されており、揺動リンク７の被押圧部７３の下方に位置するとともに、接続状態のソケット６の進退スリーブ６１の径方向外側に位置している。
【００４９】
第１実施形態と同様に、可動ケース５の周壁５１の両側部は固定ケース４に、一対のガイド手段Ｇにより上下方向（プラグ部３２の軸線方向）に摺動可能に支持されている。ただし、ソケット６の取り外しの際の、可動ケース５の操作方向は第１実施形態と逆である。以下、詳述する。
【００５０】
ソケット６を図１０（Ａ）に示すプラグ３２への接続状態から取り外す場合、可動ケース５を上方に移動させる。すると、図１０（Ｂ）に示すように、可動ケース５の押圧部５３が、揺動リンク７の被押圧部７３を上方に押し上げる。これに伴い、揺動リンク７が図において反時計回りに回動し、揺動リンク７の作用部７４が下方に移動して、ソケット６の進退スリーブ６１を押し下げる。これにより、ソケット６とプラグ部３２との係合が解除され、ソケット６がプラグ部３２から外れる。
【００５１】
［第４実施形態］
図１１は、本発明の第４実施形態に係るガスコンセント装置１Ｃを示す。このガスコンセント装置１Ｃは、第３実施形態と同様に揺動リンク７を備えている。
この実施形態では、可動ケース５は固定ケース４に、ガイド手段Ｇにより、プラグ部３２の軸線方向と直交する方向、すなわち左右方向にスライド可能に支持されている。
【００５２】
可動ケース５の押圧部５３は、周壁５１の左右いずれか一方の内側に周壁５１から離れて形成されている。図１１（Ａ）に示すように、この押圧部５３は、上方に突出しており、ソケット６の接続状態においてソケット６の進退スリーブ６１とリンク７の被押圧部７３との間に位置している。なお、押圧部５３の被押圧部７３側の面は傾斜している。
【００５３】
ソケット６を図１１（Ａ）に示すプラグ３２への接続状態から取り外す場合、可動ケース５を右方向に移動させ、揺動リンク７の被押圧部７３を押す。すると、図１１（Ｂ）に示すように、揺動リンク７が反時計回りに回動し、作用部７４がソケット６の進退スリーブ６１を下方に押し下げ、ソケット６とプラグ部３２との係合を解除する。
【００５４】
［第５実施形態］
図１２は、本発明の第５実施形態に係るガスコンセント装置（図示しないが、説明の便宜上符号１Ｄを付す）に用いられる固定ケース４及び可動ケース５を示す。ガスコンセント装置１Ｄは、上記第１実施形態とは異なり、固定ケース４と可動ケース５との間に可動ケース５を付勢するためのねじりコイルばね８（付勢手段）を備えている。
【００５５】
ねじりコイルばね８は、組み付けられた固定ケース４と可動ケース５の両側部内側に一対配置されている。ねじりコイルばね８の一端部８１及び他端部８２は、ともに環状に折り曲げられている。図１２、図１３（Ａ）に示すように、固定ケース４の副部４１ｂの両側部下端面には、可動ケース５に向かって開口する凹形状の第１ばね受け４９が形成されている。また、図１２、図１３（Ｂ）に示すように、可動ケース５の周壁５１の両側部の内側には、固定ケース４に向かって開口する凹部を有する第２ばね受け５９が設けられている。
【００５６】
ねじりコイルばね８が巻き込み方向に捩られた状態で、一端部８１が第1ばね受け４９に収容されて係止されるとともに、他端部８２が第２ばね受け５９に収容されて係止されている。したがって、ねじりコイルばね８により、可動ケース５には、下方向、すなわちプラグ部３２（図７（Ｂ）参照）へのソケットの接続方向とは逆方向に付勢力が働いている。これにより、ソケットが取り外された状態では、図１２（Ａ）に示すように、可動ケース５は、常にそのスライド部５８がガイド溝４８の下端４８ａに当たった基準位置に導かれることになる。
【００５７】
ソケットがプラグ部３２に取り付けられた状態では、図１２（Ｂ）に示すように、可動ケース５は、上方位置にある。可動ケース５に働くねじりコイルばね８による付勢力はソケットの取り外しに要する力より弱く設定されるため、ねじりコイルばね８の付勢力によりソケットが取り外されることはない。ガスコンセント装置１Ｄの上記構成以外の構成は、上記第１実施形態のガスコンセント装置１の構成と同様である。そこで、上記構成以外の構成については、その説明を省略する。
【００５８】
この実施形態では、付勢手段としてねじりコイルばね８を備えることにより、ソケットがプラグ部３２から取り外された状態では、常に可動ケース５を基準位置に配置させておくことができる。これにより、可動ケース５はガス栓３のプラグ部３２を十分に覆って保護することができる。特に、プラグ部３２の先端を真下以外に向けてガスコンセント装置１Ｄが設置された場合には、ソケットを取り外した際、可動ケース５に、その自重による復元力（基準位置に導く力）が働かないか又は十分に働かないことがある。これにより、可動ケース５が基準位置に至る手前で停止することがあるため、付勢手段を設けることは有効である。
【００５９】
この実施形態では、ねじりコイルばね８（付勢手段）が、固定構造体を構成する固定ケース４と、可動ケース５とに係止させることにより設けられているが、上記第２実施形態のように、取付板のみで固定構造体が構成されたガスコンセント装置にも設けることができる。その場合には、ねじりコイルばねの一端部を取付板に係止させ、他端部を可動ケースに係止させればよい。
この実施形態では、付勢手段としてねじりコイルばねを用いたが、板ばねや押しばねなどの弾性体を用いてもよい。
【００６０】
なお、本発明は、上記実施形態に限定されるものではなく、その要旨を逸脱しない範囲において各種の変形例を採用することができる。
第１、第２実施形態において、押圧部は進退スリーブに対応して環状をなしていてもよい。
全実施形態において、ガイド手段は、可動ケースに形成されたガイド溝と固定構造体に形成されたスライド部により構成してもよい。
【産業上の利用可能性】
【００６１】
本発明は、壁等に設置されるガスコンセント装置に適用することができる。
【符号の説明】
【００６２】
１，１Ａ，１Ｂ，１Ｃ，１Ｄ    ガスコンセント装置
２，２Ａ    取付板（固定構造体）
２１  切起こし片（係止部）
３    ガス栓
３２  プラグ部
４    固定ケース（固定構造体）
４１  周壁
４８  ガイド溝
４８ａ  ガイド溝の下端（係止部）
４９  第１ばね受け
５、５Ａ    可動ケース
５１  周壁
５３  押圧部
５８  スライド部
５９  第２ばね受け
６    ソケット
６１  進退スリーブ
７    揺動リンク
７３  被押圧部
７４  作用部
８    ねじりコイルばね（付勢手段）
８１  ねじりコイルばねの一端部
８２  ねじりコイルばねの他端部
Ｇ  ガイド手段
Ｗ  壁（取付対象）
【図１】
2018044671.tif 000003
【図２】
2018044671.tif 000004
【図３】
2018044671.tif 000005
【図４】
2018044671.tif 000006
【図５】
2018044671.tif 000007
【図６】
2018044671.tif 000008
【図７】
2018044671.tif 000009
【図８】
2018044671.tif 000010
【図９】
2018044671.tif 000011
【図１０】
2018044671.tif 000012
【図１１】
2018044671.tif 000013
【図１２】
2018044671.tif 000014
【図１３】
2018044671.tif 000015